【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
電子取引システム内で優先キューを操作する方法であって、
関心アイテムについての受信ダイナミックペグ注文（ＤＰＯ）を、表示サイズを有する表示ＤＰＯ部分と予約ＤＰＯ部分とに分割するステップ、
（ｉ）メモリ内に維持され、（ｉｉ）非表示キュー部分よりも優先される表示キュー部分を有するキューにおいて、
前記表示キュー部分に、相場価格における前記表示ＤＰＯ部分、および
前記非表示キュー部分に、前記予約ＤＰＯ部分を入力する
ステップ、
を有することを特徴とする方法。
【請求項２】
請求項１に記載の方法において、
前記相場価格は、特定の価格を含み、
前記表示サイズは、前記受信ＤＰＯに応じてカスタマイズ可能である
ことの少なくとも１つである
ことを特徴とする方法。
【請求項３】
請求項１に記載の方法において、前記相場価格を、少なくとも部分的に、現在の全米最良気配に基づいて算出するステップ
を更に有することを特徴とする方法。
【請求項４】
請求項１に記載の方法において、前記表示キュー部分および前記非表示キュー部分の両方は、まず入力された注文部分における前記関心アイテムの価格によって、次に前記入力された注文部分に関連付けられた時刻によって、個別に優先順位付けされる
ことを特徴とする方法。
【請求項５】
請求項１に記載の方法において、
前記受信ＤＰＯが買い注文である場合、前記相場価格は、現在の全米最良買い気配（ＮＢＢ）価格であり、
前記受信ＤＰＯが売り注文である場合、前記相場価格は、現在の全米最良売り気配（ＮＢＯ）価格である
ことを特徴とする方法。
【請求項６】
請求項１に記載の方法において、
前記表示ＤＰＯ部分の少なくとも一部を反対注文と照合するステップ、
残りの部分のサイズがロットサイズより小さいと判定するステップ、
前記予約ＤＰＯ部分の一部を前記非表示キュー部分から前記表示キュー部分に移動して、補充された表示ＤＰＯ部分を形成するステップであって、前記補充された表示部分のサイズは、前記表示サイズを超えない、ステップ、
を有することを特徴とする方法。
【請求項７】
請求項６に記載の方法において、前記照合は、前記相場価格で実行される
ことを特徴とする方法。
【請求項８】
請求項６に記載の方法において、前記照合するステップを実行する前に、
前記反対注文のサイズが、前記受信ＤＰＯで指定されている照合される最小単位数に少なくとも等しいことを確認するステップを更に有する
ことを特徴とする方法。
【請求項９】
請求項６に記載の方法において、前記照合は、ＤＰＯ照合規則を適用するステップによって選択された照合価格で実行され、
前記ＤＰＯ照合規則を適用するステップは、
プロセッサによって、現在時刻が安定期間に関連していることを判定するステップ、
全米最良気配から、前記ＤＰＯに関連する指値と、全米最良買い気配（ＮＢＢ）価格および全米最良売り気配（ＮＢＯ）価格のミッドポイントとのうちのより消極的な価格までの範囲内で前記照合価格を選択するステップ、
を有し、
前記受信ＤＰＯが買いのタイプである場合、前記ＤＰＯに関連する指値と、前記ミッドポイントとのうちのより消極的な価格は、前記ＤＰＯに関連する指値と、前記ミッドポイントとのうちの低い方であり、
前記受信ＤＰＯが売りのタイプである場合、前記ＤＰＯに関連する指値と、前記ミッドポイントとのうちのより消極的な価格は、前記ＤＰＯに関連する指値と、前記ミッドポイントとのうちの高い方である
ことを特徴とする方法。
【請求項１０】
請求項９に記載の方法において、
前記受信ＤＰＯが買いのタイプである場合、前記ＤＰＯに関連する指値は、前記ミッドポイントより下の指定された数の最小価格バリアント（ＭＰＶ）であり、
前記受信ＤＰＯが売りのタイプである場合、前記ＤＰＯに関連する指値は、前記ミッドポイントより上の指定された数のＭＰＶである
ことを特徴とする方法。
【請求項１１】
請求項６に記載の方法において、前記照合は、ＤＰＯ照合規則を適用するステップによって選択された照合価格で実行され、
前記ＤＰＯ照合規則を適用するステップは、
プロセッサによって、現在時刻が不安定期間に関連していることを判定するステップ、  前記受信ＤＰＯが買いのタイプである場合、全米最良買い気配（ＮＢＢ）価格を前記照合価格として選択するステップ、
前記受信ＤＰＯは、売りのタイプである場合、全米最良売り気配（ＮＢＯ）価格を前記照合価格として選択するステップ、
を有することを特徴とする方法。
【請求項１２】
請求項１に記載の方法において、最新の全米最良気配に基づいて前記相場価格を更新するステップ
を更に有することを特徴とする方法。
【請求項１３】
請求項１に記載の方法において、
ＤＰＯ照合規則を適用するステップによって選択された照合価格で、前記予約ＤＰＯ部分の少なくとも一部を反対注文と照合させるステップ
を更に有することを特徴とする方法。
【請求項１４】
請求項１３に記載の方法において、前記ＤＰＯ照合規則を適用するステップは、
プロセッサによって、現在時刻が安定期間に関連していることを判定するステップ、
全米最良気配から、前記ＤＰＯに関連する指値と、全米最良買い気配（ＮＢＢ）価格および全米最良売り気配（ＮＢＯ）価格のミッドポイントとのうちのより消極的な価格までの範囲内で前記照合価格を選択するステップ、
を有することを特徴とする方法。
【請求項１５】
請求項１４に記載の方法において、
前記受信ＤＰＯが買いのタイプである場合、前記ＤＰＯに関連する指値と、前記ミッドポイントとのうちのより消極的な価格は、前記ＤＰＯに関連する指値と、前記ミッドポイントとのうちの低い方であり、
前記受信ＤＰＯが売りのタイプである場合、前記ＤＰＯに関連する指値と、前記ミッドポイントとのうちのより消極的な価格は、前記ＤＰＯに関連する指値と、前記ミッドポイントとのうちの高い方である
ことを特徴とする方法。
【請求項１６】
請求項１４に記載の方法において、
前記受信ＤＰＯが買いのタイプである場合、前記ＤＰＯに関連する指値は、前記ミッドポイントより下の指定された数の最小価格バリアント（ＭＰＶ）であり、
前記受信ＤＰＯが売りのタイプである場合、前記ＤＰＯに関連する指値は、前記ミッドポイントより上の指定された数のＭＰＶである
ことを特徴とする方法。
【請求項１７】
請求項１３に記載の方法において、前記ＤＰＯ照合規則を適用するステップは、
プロセッサによって、現在時刻が不安定期間に関連していることを判定するステップ、  前記受信ＤＰＯが買いのタイプである場合、全米最良買い気配（ＮＢＢ）価格を前記照合価格として選択するステップ、
前記受信ＤＰＯが売りのタイプである場合、全米最良売り気配（ＮＢＯ）価格を前記照合価格として選択するステップ、
を有することを特徴とする方法。
【請求項１８】
請求項１３において、前記照合させるステップを実行する前に、
前記反対注文のサイズが、前記受信ＤＰＯで指定されている照合される最小単位数に少なくとも等しいことを確認するステップ
を更に有することを特徴とする方法。
【請求項１９】
電子取引システム内で優先キューを操作するためのシステムであって、
第１のプロセッサと、
前記第１のプロセッサと電気的に通信する第１のメモリとを備え、
前記第１のメモリは、命令を含み、前記命令は、前記第１のメモリおよび第２のメモリのうちの少なくとも一方を備えるメモリモジュールと電子的に通信する前記第１のプロセッサおよび第２のプロセッサのうちの少なくとも一方を備える処理ユニットによって実行されると、
関心アイテムについての受信ダイナミックペグ注文（ＤＰＯ）を、表示サイズを有する表示ＤＰＯ部分と予約ＤＰＯ部分とに分割するステップ、
前記メモリモジュール内のキューを表示キュー部分が非表示キュー部分より優先されるように構成するステップ、
前記表示キュー部分に、現在の全米最良気配に基づく相場価格における表示ＤＰＯ部分を入力し、前記非表示キュー部分に、前記予約ＤＰＯ部分を入力するステップ、
を実行するように前記処理ユニットをプログラムする
ことを特徴とするシステム。
【請求項２０】
請求項１９に記載のシステムにおいて、
前記相場価格は、特定の価格を含む、
前記命令は、少なくとも部分的に、現在の全米最良気配に基づいて前記相場を算出するように前記処理ユニットをプログラムする、
前記表示サイズは、前記受信ＤＰＯに応じてカスタマイズ可能である、
前記表示キュー部分および前記非表示キュー部分の両方が、まず入力された注文部分における前記関心アイテムの価格によって、次に前記入力された注文部分に関連する時刻によって、個別に優先順位付けされる
のうち少なくとも１つが成立している
ことを特徴とするシステム。
【請求項２１】
請求項１９において、
前記受信ＤＰＯが買い注文である場合、前記相場価格は、現在の全米最良買い気配（ＮＢＢ）であり、
前記受信ＤＰＯが売り注文である場合、前記相場価格は、現在の全米最良売り気配（ＮＢＯ）である
ことを特徴とするシステム。
【請求項２２】
請求項１９において、前記命令は、
前記表示ＤＰＯ部分の少なくとも一部を（ｉ）前記相場価格および（ｉｉ）照合価格の何れかにおいて反対注文と照合するステップ、
残りの部分のサイズがロットサイズより小さいと判定するステップ、
前記予約ＤＰＯ部分の一部を前記非表示キュー部分から前記表示キュー部分に移動して、補充された表示ＤＰＯ部分を形成するステップであって、前記補充された表示部分のサイズは前記表示サイズを超えない、ステップ、
を実行するように前記処理ユニットを更にプログラムする
ことを特徴とするシステム。
【請求項２３】
請求項２２に記載のシステムにおいて、前記命令は、前記照合するステップを実行する前に、前記反対注文のサイズが、前記受信ＤＰＯで指定されている最小単位数に少なくとも等しいことを確認するように処理ユニットをプログラムする
ことを特徴とするシステム。
【請求項２４】
請求項２２に記載のシステムにおいて、前記命令は、
ＤＰＯ照合規則を適用することによって選択した照合価格で照合を実行するように前記処理ユニットをプログラムし、
前記ＤＰＯ照合規則を適用するために、前記命令は、
Ａ１：現在時刻が安定期間に関連していることを判定するステップ、
Ａ２：全米最良気配から、前記ＤＰＯに関連する指値と、全米最良買い気配（ＮＢＢ）価格および全米最良売り気配（ＮＢＯ）価格のミッドポイントとのうちのより消極的な価格までの範囲内で前記照合価格を選択するステップであって、
前記受信ＤＰＯが買いのタイプである場合、前記ＤＰＯに関連する指値と、前記ミッドポイントとのうちのより消極的な価格は、前記ＤＰＯに関連する指値と、前記ミッドポイントとのうちの低い方であり、
前記受信ＤＰＯが売りのタイプである場合、前記ＤＰＯに関連する指値と、前記ミッドポイントとのうちのより消極的な価格は、前記ＤＰＯに関連する指値と、前記ミッドポイントとのうちの高い方である、
ステップ、
Ｂ１：現在時刻が不安定期間に関連していることを判定するステップ、
Ｂ２１：前記受信ＤＰＯが買いのタイプである場合、全米最良買い気配（ＮＢＢ）価格を前記照合価格として選択するステップ、
Ｂ２２：前記受信ＤＰＯが売りのタイプである場合、全米最良売り気配（ＮＢＯ）価格を前記照合価格として選択するステップ、
のうち少なくとも１つを実行するように前記処理ユニットをプログラムする
ことを特徴とするシステム。
【請求項２５】
請求項２４に記載のシステムにおいて、
前記受信ＤＰＯが買いのタイプである場合、前記ＤＰＯに関連する指値は、前記ミッドポイントより下の指定された数の最小価格バリアント（ＭＰＶ）であり、
前記受信ＤＰＯが売りのタイプである場合、前記ＤＰＯに関連する指値は、前記ミッドポイントより上の指定された数のＭＰＶである
ことを特徴とするシステム。
【請求項２６】
請求項１９に記載のシステムにおいて、前記命令は、更新された現在の全米最良気配に基づいて前記相場価格を更新するように前記処理ユニットをプログラムする
ことを特徴とするシステム。
【請求項２７】
請求項１９に記載のシステムにおいて、前記命令は、
ＤＰＯ照合規則を適用することによって選択された照合価格で、前記予約ＤＰＯ部分の少なくとも一部を反対注文と照合させるように処理ユニットをプログラムする
ことを特徴とするシステム。
【請求項２８】
請求項２７に記載のシステムにおいて、前記ＤＰＯ照合規則を適用するために、前記命令は、
Ａ１：現在時刻が安定期間に関連していることを判定するステップ、
全米最良気配から、前記ＤＰＯに関連する指値と、全米最良買い気配（ＮＢＢ）価格および全米最良売り気配（ＮＢＯ）価格のミッドポイントとのうちのより消極的な価格までの範囲内で前記照合価格を選択するステップであって、
前記受信ＤＰＯが買いのタイプである場合、前記ＤＰＯに関連する指値と、前記ミッドポイントとのうちのより消極的な価格は、前記ＤＰＯに関連する指値と、前記ミッドポイントとのうちの低い方であり、
前記受信ＤＰＯが売りのタイプである場合、前記ＤＰＯに関連する指値と、前記ミッドポイントとのうちのより消極的な価格は、前記ＤＰＯに関連する指値と、前記ミッドポイントとのうちの高い方である、
ステップ、
Ｂ１：現在時刻が不安定期間に関連していることを判定する、
Ｂ２１：前記受信ＤＰＯが買いのタイプである場合、全米最良買い気配（ＮＢＢ）価格を前記照合価格として選択する、
Ｂ２２：前記受信ＤＰＯが売りのタイプである場合、全米最良売り気配（ＮＢＯ）価格を前記照合価格として選択する
のうち少なくとも１つを実行するように前記処理ユニットをプログラムする
ことを特徴とするシステム。
【請求項２９】
請求項２８において、前記受信ＤＰＯが買いのタイプである場合、前記ＤＰＯに関連する指値は、前記ミッドポイントより下の指定された数の最小価格バリアント（ＭＰＶ）であり、
前記受信ＤＰＯが売りのタイプである場合、前記ＤＰＯに関連する指値は、前記ミッドポイントより上の指定された数のＭＰＶである
ことを特徴とするシステム。
【請求項３０】
請求項２７において、前記命令は、前記照合するステップを実行する前に、前記反対注文のサイズが、前記受信ＤＰＯで指定されている最小単位数に少なくとも等しいことを確認するように処理ユニットをプログラムする
ことを特徴とするシステム。